【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  ネットワークを介してクライアントに接続された画像処理装置において、
処理対象データに関連付けてユーザインタフェース表示情報を生成する手段と、
前記クライアントからの要求に応じて、前記生成したユーザインタフェース表示情報を提供するユーザインタフェースサーバ手段と、
前記クライアントに提供したユーザインタフェース表示情報に基づいて入力された指示に従って処理を行う処理手段と、
を含むことを特徴とする画像処理装置。
【請求項２】  請求項１に記載の画像処理装置において、さらに、
前記ユーザインタフェース表示情報が生成されると、前記クライアントに対し提供するユーザインタフェース表示情報があることを報知する手段を含むことを特徴とする画像処理装置。
【請求項３】  請求項１に記載の画像処理装置において、さらに、
処理対象データを受信する受信手段と、
前記受信手段で処理対象データを受信すると、提供するユーザインタフェース表示情報があることを前記クライアントに対し報知する手段と、
を含むことを特徴とする画像処理装置。
【請求項４】  請求項１又は３に記載の画像処理装置において、
処理対象データを読み取る入力手段と、
前記入力手段で処理対象データが読み取られると、前記処理対象データに関するユーザインタフェース表示情報があることを前記クライアントに対し報知する手段と、
を含むことを特徴とする画像処理装置。
【請求項５】  請求項１乃至４記載の画像処理装置において、ユーザインタフェースサーバはＨＴＴＰサーバであることを特徴とする画像処理装置。
【請求項６】  請求項５記載の画像処理装置において、
前記ユーザインタフェース表示情報を生成する手段は、ユーザインタフェース表示情報をＨＴＭＬ文書として生成することを特徴とする画像処理装置。
【請求項７】  請求項１乃至６に記載の画像処理装置において、さらに、処理対象データのプレビュー画像情報を生成する手段を含むことを特徴とする画像処理装置。
【請求項８】  請求項１乃至７に記載の画像処理装置において、さらに、処理対象データのサムネール画像を生成する手段を含むことを特徴とする画像処理装置。
【請求項９】  処理対象データの送信先アドレスのリストを管理するアドレスサーバと、画像処理装置と、クライアントとを含む画像処理システムにおいて、
前記画像処理装置は、
前記アドレスサーバから前記送信先アドレスのリストを取得する手段と、
処理対象データに関連付けて、少なくとも前記送信先アドレスのリストを送信先の候補を含むユーザインタフェース表示情報を生成する手段と、
前記クライアントに対し、前記ユーザインタフェース表示情報を提供するユーザインタフェースサーバ手段と、
前記クライアントに提供したユーザインタフェース表示情報に基づき入力された指示に従って処理を行う処理手段と、
を有することを特徴とする画像処理システム。
【手続補正２】
【補正対象書類名】明細書
【補正対象項目名】００１０
【補正方法】変更
【補正の内容】
【００１０】
【課題を解決するための手段】
本発明は、ネットワークを介してクライアントに接続された画像処理装置において、処理対象データに関連付けてユーザインタフェース表示情報を生成する手段と、前記クライアントからの要求に応じて、前記生成したユーザインタフェース表示情報を提供するユーザインタフェースサーバ手段と、前記クライアントに提供したユーザインタフェース表示情報に基づいて入力された指示に従って処理を行う処理手段と、を含むことを特徴としており、操作性に優れたクライアントをユーザインタフェースとして利用でき、操作性を向上できる。
【手続補正３】
【補正対象書類名】明細書
【補正対象項目名】００１１
【補正方法】変更
【補正の内容】
【００１１】
本発明に係る画像処理装置の１つの態様では、前記ユーザインタフェース表示情報が生成されると、前記クライアントに対し提供するユーザインタフェース表示情報があることを報知する手段を含むことを特徴としており、ユーザインタフェース表示情報が提供可能であることを報知できる。
【手続補正４】
【補正対象書類名】明細書
【補正対象項目名】００１２
【補正方法】変更
【補正の内容】
【００１２】
本発明に係る画像処理装置の１つの態様では、さらに、処理対象データを受信する受信手段と、前記受信手段で処理対象データを受信すると、提供するユーザインタフェース表示情報があることを前記クライアントに対し報知する手段と、含むことを特徴としており、処理対象データの受信時にクライアントを利用したユーザインタフェース表示情報の提供を開始でき、操作性を向上できる。
【手続補正５】
【補正対象書類名】明細書
【補正対象項目名】００１３
【補正方法】変更
【補正の内容】
【００１３】
本発明に係る画像処理装置の１つの態様では、処理対象データを読み取る入力手段と、
前記入力手段で処理対象データが読み取られると、前記処理対象データに関するユーザインタフェース表示情報があることを前記クライアントに対し報知する手段と、を含むことを特徴としており、処理対象データを読み込んだ時にクライアントを利用したユーザインタフェース表示情報の提供を開始でき、操作性を向上できる。
【手続補正６】
【補正対象書類名】明細書
【補正対象項目名】００１４
【補正方法】変更
【補正の内容】
【００１４】
さらに、本発明に係る画像処理装置の１つの態様では、ユーザインタフェースサーバはＨＴＴＰサーバとすることが、実現が容易であり、好ましい。
【手続補正７】
【補正対象書類名】明細書
【補正対象項目名】００１５
【補正方法】変更
【補正の内容】
【００１５】
また、本発明に係る画像処理装置の１つの態様では、前記ユーザインタフェース表示情報を生成する手段は、ユーザインタフェース表示情報をＨＴＭＬ文書として生成する手段を含むことが、動的にユーザインタフェース表示情報を形成できるため、好適である。
【手続補正８】
【補正対象書類名】明細書
【補正対象項目名】００１６
【補正方法】変更
【補正の内容】
【００１６】
さらに、受信又は読み取った画像のプレビュー画像情報又はサムネール画像を生成する手段を含むこととするのが、画像を取得又は送信する前に画像の内容をクライアント側で確認でき、好適である。
【手続補正９】
【補正対象書類名】明細書
【補正対象項目名】００１７
【補正方法】変更
【補正の内容】
【００１７】
本発明は、処理対象データの送信先アドレスのリストを管理するアドレスサーバと、画像処理装置と、クライアントとを含む画像処理システムにおいて、前記画像処理装置は、前記アドレスサーバから前記送信先アドレスのリストを取得する手段と、処理対象データに関連付けて、少なくとも前記送信先アドレスのリストを送信先の候補を含むユーザインタフェース表示情報を生成する手段と、前記クライアントに対し、前記ユーザインタフェース表示情報を提供するユーザインタフェースサーバ手段と、前記クライアントに提供したユーザインタフェース表示情報に基づき入力された指示に従って処理を行う処理手段と、を有することを特徴としており、ネットワーク上で提供されているアドレス帳を有効に利用し、操作性に優れたクライアントをユーザインタフェース表示情報として利用でき、操作性を向上できる。